(57)【特許請求の範囲】
【請求項１】
第１の入出力ポートから入力された第１の光信号を増幅する第１の中継増幅部と、
第２の入出力ポートから入力された第２の光信号を増幅する第２の中継増幅部と、
前記第１の入出力ポートからの前記第１の光信号を前記第１の中継増幅部へ入力し、前記第２の中継増幅部からの前記第２の光信号を前記第１の入出力ポートへ出力する第１の合分波部と、
前記第２の入出力ポートからの前記第２の光信号を前記第２の中継増幅部へ入力し、前記第１の中継増幅部からの前記第１の光信号を前記第２の入出力ポートへ出力する第２の合分波部と、
前記第１の合分波部と前記第１の入出力ポートとの間に挿入され、前記第１の入出力ポートからの試験光を分波して第２の試験光合分波部へ出力し、前記第２の試験光合分波部からの試験光を前記第１の入出力ポートへ出力する第１の試験光合分波部と、
前記第２の合分波部と前記第２の入出力ポートとの間に挿入され、前記第２の入出力ポートからの試験光を分波して前記第１の試験光合分波部へ出力し、前記第１の試験光合分波部からの試験光を前記第２の入出力ポートへ出力する前記第２の試験光合分波部と、
前記第１の試験光合分波部と前記第２の試験光合分波部を結ぶ光経路に、反射位置を把握可能な予め設定された割合の試験光の一部を反射する試験光反射部と、
を備える中継器。
【請求項２】
前記第１の試験光合分波部と前記第２の試験光合分波部を結ぶ光経路に、前記試験光を増幅する試験光増幅部をさらに備えることを特徴とする請求項１に記載の中継器。
【発明の詳細な説明】
【技術分野】
【０００１】
本発明は、中継器を用いた広域光伝送光アクセスシステムにおける、ＯＴＤＲによる線路監視手法対応中継器に関する。
【背景技術】
【０００２】
近年、急速な普及を遂げているＦｉｂｅｒ  Ｔｏ  Ｔｈｅ  Ｈｏｍｅ（ＦＴＴＨ）サービスを支える光アクセスシステムとして、Ｐａｓｓｉｖｅ  Ｏｐｔｉｃａｌ  Ｎｅｔｗｏｒｋ（ＰＯＮ）システムの導入が世界各国で進められている。ＰＯＮシステムとは、光ファイバ伝送路中に設置された光スプリッタを介して、収容局に設置された１台の終端装置（ＯＬＴ：Ｏｐｔｉｃａｌ  Ｌｉｎｅ  Ｔｅｒｍｉｎａｌ）に対して、複数の加入者宅に設置された宅内装置（ＯＮＵ：Ｏｐｔｉｃａｌ  Ｎｅｔｗｏｒｋ  Ｕｎｉｔ）を収容することを可能とし、光ファイバ伝送路、光スプリッタ、およびＯＬＴを複数の加入者間で共有することで、高い経済性を実現した光アクセスシステムである。
【０００３】
現在、日本では主に１Ｇｂ／ｓの伝送量を有するＧＥ−ＰＯＮ（Ｇｉｇａｂｉｔ  Ｅｔｈｅｒｎｅｔ−ＰＯＮ）システムが商用導入されている（Ｅｔｈｅｒｎｅｔは登録商標）。また、さらなる高速化を実現する次世代光アクセスシステムとし、１０Ｇｂ／ｓ級の総伝送容量を有する、１０Ｇ−ＥＰＯＮの研究開発が進められている。ＧＥ−ＰＯＮシステムでは標準化において、伝送距離２０ｋｍ、３２分岐が規定されており、これらを達成するために２９ｄＢ程度のロスバジェットを有するシステムが導入されている。
【０００４】
これら、ＰＯＮシステムによるブロードバンドサービスの提供を、より経済的に行うには、システムのロスバジェット拡大による、伝送距離拡大（広域化）、および収容数拡大（多分岐化）が重要となる。
【０００５】
これら、ロスバジェットの拡大を実現するため、バースト対応光増幅器をＰＯＮ中継器として用いた、広域・多分岐化光アクセスシステムの研究が盛んに行われており、希土類添加ファイバ増幅器、半導体光増幅器、ファイバラマン増幅器など、様々なタイプの光増幅ＰＯＮ中継器が報告されている。また、光／電気／光変換（Ｏ／Ｅ／Ｏ）中継器も報告されている。これら、光増幅器またはＯ／Ｅ／Ｏ中継器を用いることで、ＰＯＮシステムをはじめとした光アクセスシステムの広域化、および多分岐化が可能となる。
【先行技術文献】
【非特許文献】
【０００６】
【非特許文献１】Ｍ．  Ｆｕｊｉｗａｒａ，  Ｔ．  Ｉｍａｉ，  Ｋ．  Ｔａｇｕｃｈｉ，  Ｋ．−Ｉ．  Ｓｕｚｕｋｉ，  Ｈ．  Ｉｓｈｉｉ，  ａｎｄ  Ｎ．  Ｙｏｓｈｉｍｏｔｏ，  “Ｆｉｅｌｄ  ｔｒｉａｌ  ｏｆ  １００−ｋｍ  ｒｅａｃｈ  ｓｙｍｍｅｔｒｉｃ−ｒａｔｅ  １０Ｇ−ＥＰＯＮ  ｓｙｓｔｅｍ  ｕｓｉｎｇ  ａｕｔｏｍａｔｉｃ  ｌｅｖｅｌ  ｃｏｎｔｒｏｌｌｅｄ  ｂｕｒｓｔ−ｍｏｄｅ  ＳＯＡｓ，”  ＩＥＥＥ  Ｊｏｕｒｎａｌ  ｏｆ  Ｌｉｇｈｔｗａｖｅ  Ｔｅｃｈｎｏｌｏｇｙ，  Ｖｏｌ．  ３１，  Ｎｏ．  ４，  ｐｐ．  ６３４−６４０，  Ｊａｎｕａｒｙ  ２０１３．
【発明の概要】
【発明が解決しようとする課題】
【０００７】
光アクセスシステムにおける波長割当では、伝送路媒体である光ファイバの線路監視用にＯＴＤＲ用試験波長が規定されている。従来のＰＯＮ中継器はＯＴＤＲによる線路監視に対応しておらず、光ファイバの伝送路試験を行うことができなかった。
【０００８】
本発明は、ＰＯＮ中継器を適用した光アクセスネットワークの線路監視を可能にするため、ＯＴＤＲ試験に対応したＰＯＮ中継器を実現することを目的とする。
【課題を解決するための手段】
【０００９】
上記目的を達成するために、本発明は、ＰＯＮ中継器を用いた広域・多分岐化ＰＯＮシステムにおいて、線路監視手段として一般的に利用されているＯＴＤＲによる線路監視を可能とすることを特徴とする。
【００１０】
本発明に係る中継器は、
第１の入出力ポートから入力された第１の光信号を増幅する第１の中継増幅部と、
第２の入出力ポートから入力された第２の光信号を増幅する第２の中継増幅部と、
前記第１の入出力ポートからの前記第１の光信号を前記第１の中継増幅部へ入力し、前記第２の中継増幅部からの前記第２の光信号を前記第１の入出力ポートへ出力する第１の合分波部と、
前記第２の入出力ポートからの前記第２の光信号を前記第２の中継増幅部へ入力し、前記第１の中継増幅部からの前記第１の光信号を前記第２の入出力ポートへ出力する第２の合分波部と、
前記第１の入出力ポートから入力された前記第１の光信号の波長が予め定められた信号光波長である場合は当該第１の光信号を前記第１の中継増幅部へ出力し、前記第１の入出力ポートから入力された前記第１の光信号の波長が予め定められた試験光波長である場合は当該第１の光信号の前記第１の中継増幅部への入力を阻止する試験光処理部と、
を備える。
【００１１】
本発明に係る中継器では、前記試験光処理部は、前記第１の合分波部と前記第１の入出力ポートとの間に挿入され、信号光の波長を透過し、試験光の波長を反射する試験光反射部を備えていてもよい。
【００１２】
本発明に係る中継器では、
前記試験光処理部は、
前記第１の合分波部と前記第１の入出力ポートとの間に挿入され、前記第１の入出力ポートからの試験光を分波して第２の試験光合分波部へ出力し、前記第２の試験光合分波部からの試験光を前記第１の入出力ポートへ出力する第１の試験光合分波部と、
前記第２の合分波部と前記第２の入出力ポートとの間に挿入され、前記第２の入出力ポートからの試験光を分波して前記第１の試験光合分波部へ出力し、前記第１の試験光合分波部からの試験光を前記第２の入出力ポートへ出力する前記第２の試験光合分波部と、
を備えていてもよい。
【００１３】
本発明に係る中継器では、前記第１の試験光合分波部と前記第２の試験光合分波部を結ぶ光経路に、反射位置を把握可能な予め設定された割合の試験光の一部を反射する試験光反射部をさらに備えていてもよい。
【００１４】
本発明に係る中継器では、前記第１の試験光合分波部と前記第２の試験光合分波部を結ぶ光経路に、前記試験光を増幅する試験光増幅部をさらに備えていてもよい。
【発明の効果】
【００１５】
本発明によれば、ＯＴＤＲ試験に対応したＰＯＮ中継器を実現するため、ＰＯＮ中継器を適用した光アクセスネットワークの線路監視を可能にすることができる。
【図面の簡単な説明】
【００１６】
【図１】関連する広域光アクセスシステムの構成の一例を示す。
【図２】関連するＰＯＮ中継器の構成の一例を示す。
【図３】本実施形態に係るＯＴＤＲ対応ＰＯＮ中継器を用いた広域光アクセスシステムの構成の一例を示す。
【図４】実施形態２に係るＯＴＤＲ対応ＰＯＮ中継器の構成の一例を示す。
【図５】実施形態３に係るＯＴＤＲ対応ＰＯＮ中継器の構成の一例を示す。
【図６】実施形態４に係るＯＴＤＲ対応ＰＯＮ中継器の構成の一例を示す。
【図７】実施形態５に係るＯＴＤＲ対応ＰＯＮ中継器の構成の一例を示す。
【発明を実施するための形態】
【００１７】
添付の図面を参照して本発明の実施形態を説明する。以下に説明する実施形態は本発明の実施の例であり、本発明は、以下の実施形態に制限されるものではない。なお、本明細書及び図面において符号が同じ構成要素は、相互に同一のものを示すものとする。
【００１８】
図１に、広域光アクセスシステムの構成の一例を示す。図１は広域光アクセスシステムがＧＥ−ＰＯＮシステムである場合を示す。ＧＥ−ＰＯＮシステムは、ＧＥ−ＯＬＴ９１と複数のＧＥ−ＯＮＵ９２が光スプリッタ９５で接続されている。ＧＥ−ＯＬＴ９１と光スプリッタ９５の伝送路である光ファイバ中にＰＯＮ中継器１９３を設置し、光信号を中継伝送することで広域化を実現する。ＰＯＮ中継器１９３からＧＥ−ＯＮＵ９２側までの区間をアクセス区間と呼び、ＰＯＮ中継器１９３からＧＥ−ＯＬＴ９１までの区間をトランク区間と呼ぶ。
【００１９】
ＰＯＮ中継器１９３は、光増幅ＰＯＮ中継器またはＯ／Ｅ／Ｏ中継器を備える。光増幅ＰＯＮ中継器は、光信号を中継増幅する。光増幅ＰＯＮ中継器は、ビットレートや信号フォーマットなどのシステム仕様に依存せず、動作可能なことから、ＧＥ−ＰＯＮをはじめとした、１０Ｇ−ＥＰＯＮなど様々なシステムへの適用が検討されてきた。一方、Ｏ／Ｅ／Ｏ変換器は光信号を一度電気に変換し、再度光信号として出力する最もシンプルな中継構成である。
【００２０】
図２に、関連するＰＯＮ中継器の構成の一例を示す。図２に示すＰＯＮ中継器１９３は、ＯＬＴ側上り下り合分波部１１、ＯＮＵ側上り下り合分波部１２、上り信号中継増幅部１３、及び下り信号中継増幅部１４を備える。上り信号中継増幅部１３及び下り信号中継増幅部１４には、光増幅器、またはＯ／Ｅ／Ｏ中継器が用いられる。
【００２１】
ＰＯＮ中継器１９３に入力された上り信号は、ＯＮＵ側上り下り合分波部１２を経由して上り信号中継増幅部１３で中継増幅され、ＯＬＴ９１側に出力される。この時、上り信号はバースト信号となるため、上り信号中継増幅部１３はバースト対応する必要がある。下り信号も上り信号と同じように、ＰＯＮ中継器１９３に入力された下り信号は、ＯＬＴ側上り下り合分波部１１を経由して下り信号中継増幅部１４で中継増幅され、ＯＮＵ９２側に出力される。
【００２２】
これらＰＯＮ中継器１９３については、多くの報告がされており、システム評価なども盛んに行われている。しかし、この様なＰＯＮ中継器構成では、線路監視用に利用されているＯＴＤＲ試験に対応しておらず、線路試験が行えない課題があった。
【００２３】
（実施形態１）
図３に、本実施形態に係る広域光アクセスシステムの構成の一例を示す。本実施形態に係る広域光アクセスシステムは、ＰＯＮ中継器９３を用いている。ＰＯＮ中継器９３は、ＯＴＤＲ試験を行う場合、トランク区間に光スプリッタ９６を設け、光スプリッタ９６とＯＴＤＲ試験装置９４を接続する。ＯＴＤＲ試験装置９４は、試験光をＧＥ−ＯＮＵ９２へ向けて出射し、光線路で反射又は散乱された戻り光を観測することによって、広域光アクセスシステムの試験を行う。
【００２４】
ＰＯＮ中継器９３は、ＯＴＤＲに対応するための試験光処理部を備える。試験光処理部は、ＯＬＴ９１側の第１の入出力ポートから入力された光信号の波長が信号光波長である場合は中継増幅部へ出力し、ＯＬＴ９１側の第１の入出力ポートから入力された光信号の波長がＯＴＤＲ用の試験光の波長である場合は中継増幅部への出力を阻止する。
【００２５】
ＰＯＮ中継器９３によってロスバジェットが大きく拡大されるため、本実施形態に係る広域光アクセスシステムは、システムの広域化および多分岐化が可能となる。また、ＯＴＤＲ対応ＰＯＮ中継器９３を用いることにより、従来では不可能であった線路試験が可能となる。
【００２６】
（実施形態２）
図４に、ＯＬＴ側入出力部にＯＴＤＲ信号反射部２１を備えた、ＯＴＤＲ対応ＰＯＮ中継器９３の構成の一例を示す。本実施形態に係るＯＴＤＲ対応ＰＯＮ中継器９３は、ＯＬＴ側上り下り合分波部１１、ＯＮＵ側上り下り合分波部１２、上り信号中継増幅部１３、下り信号中継増幅部１４、およびＯＴＤＲ信号反射部２１を備える。ＯＴＤＲ信号反射部２１が試験光処理部として機能する。
【００２７】
本実施形態では、第１の入出力ポートがＯＬＴ側ポートであり、第２の入出力ポートがＯＮＵ側ポートであり、第１の合分波部がＯＬＴ側上り下り合分波部１１であり、第２の合分波部がＯＮＵ側上り下り合分波部１２であり、第１の中継増幅部が下り信号中継増幅部１４であり、第２の中継増幅部が上り信号中継増幅部１３である場合について説明する。ＯＴＤＲ信号反射部２１は、ＯＬＴ側上り下り合分波部１１とＯＬＴ側ポートの間に接続される。
【００２８】
ＯＴＤＲ対応ＰＯＮ中継器９３に入力された上り信号および下り信号は、それぞれ、ＯＮＵ側上り下り合分波部１２及びＯＬＴ側上り下り合分波部１１で合分波され、それぞれの信号に対応した上り信号中継増幅部１３及び下り信号中継増幅部１４に入力される。上り信号中継増幅部１３から出力された増幅信号は、ＯＬＴ側上り下り合分波部１１によって合分波され、トランク区間に送出される。下り信号中継増幅部１４から出力された増幅信号は、ＯＮＵ側上り下り合分波部１２によって合分波され、アクセス区間に送出される。
【００２９】
この時、ＯＬＴ９１側からＯＴＤＲによる線路試験を行った場合を考える。ＯＬＴ９１側から下り信号と共に、ＯＴＤＲ信号がＰＯＮ中継器９３に入力される。この時、ＰＯＮ中継器９３のＯＬＴ側入出力端に設置した、ＯＴＤＲ信号のみを反射する特性を有するＯＴＤＲ信号反射部２１によって、ＯＴＤＲ信号は反射され、光ファイバ中を反射光は伝送し、収容ビルに設置されているＯＴＤＲ試験装置９４に入力される。
【００３０】
一方、ＯＴＤＲ信号反射部２１は、下り信号および上り信号を透過する特性を有するため、主信号の伝送品質に影響を与えない。これにより、収容ビルに設置されたＯＬＴからＰＯＮ中継器までの光ファイバ区間の線路監視を、ＯＴＤＲを用いて行うことができ、広域光アクセスシステムの保守運用性向上が期待できる。
【００３１】
（実施形態３）
図５にＯＬＴ側入出力部にＯＴＤＲ信号をバイパスする構造を備えた、ＯＴＤＲ対応ＰＯＮ中継器９３の構成の一例を示す。ＯＴＤＲ対応ＰＯＮ中継器９３は、ＯＬＴ側上り下り合分波部１１、ＯＮＵ側上り下り合分波部１２、上り信号中継増幅部１３、下り信号中継増幅部１４、および２台のＯＴＤＲ信号合分波部２２及び２３、を備える。
【００３２】
ＯＴＤＲ信号合分波部２２及び２３が試験光処理部として機能する。ＯＴＤＲ信号合分波部２２はＯＬＴ側上り下り合分波部１１とＯＬＴ側ポートの間に接続され、ＯＴＤＲ信号合分波部２３はＯＮＵ側上り下り合分波部１２とＯＮＵ側ポートの間に接続される。
【００３３】
ＯＴＤＲ対応ＰＯＮ中継器９３に入力された上り信号、および下り信号は、上り下り合分波部１１及び１２で合分波され、それぞれの信号に対応した中継増幅部１３及び１４に入力される。それぞれの中継増幅部１３及び１４から出力された増幅信号は、上り下り合分波部１１及び１２によって合分波され、光ファイバ区間に送出される。
【００３４】
この時、ＯＬＴ側からＯＴＤＲによる線路試験を行った場合を考える。ＯＬＴ９１側から下り信号と共に、ＯＴＤＲ信号がＰＯＮ中継器９３に入力される。この時、ＰＯＮ中継器９３のＯＬＴ側入出力端に設置した、ＯＴＤＲ信号合分波部２２によって、下り信号は下り信号中継増幅部１４に入力するために上り下り合分波部１１に入力され、下り信号中継増幅部１４で増幅されＯＮＵ９２側に出力される。
【００３５】
一方、ＯＴＤＲ信号はＯＴＤＲ信号合分波部２２によって、バイパスする光ファイバ区間２６に出力され、バイパス区間を経由してＯＴＤＲ信号合分波部２３で下り信号と合波される。下り信号とＯＴＤＲ信号は、合波された状態でＯＮＵ９２側に出力される。本構成により、収容ビルに設置されたＯＬＴからＯＮＵまでの光ファイバ区間の線路監視を、ＯＴＤＲを用いて行うことができ、広域光アクセスシステムの保守運用性向上が期待できる。
【００３６】
（実施形態４）
図６に、ＯＴＤＲ信号をバイパスする構造、およびＯＴＤＲ試験光微小反射部を備えた、ＯＴＤＲ対応ＰＯＮ中継器の構成を示す。ＯＴＤＲ対応ＰＯＮ中継器９３は、ＯＬＴ側上り下り合分波部１１、ＯＮＵ側上り下り合分波部１２、上り信号中継増幅部１３、下り信号中継増幅部１４、２台のＯＴＤＲ信号合分波部２２及び２３、並びにＯＴＤＲ試験光微小反射部２４を備える。
【００３７】
ＯＴＤＲ信号合分波部２２及び２３並びにＯＴＤＲ試験光微小反射部２４が試験光処理部として機能する。ＯＴＤＲ信号合分波部２２はＯＬＴ側上り下り合分波部１１とＯＬＴ側ポートの間に接続され、ＯＴＤＲ信号合分波部２３はＯＮＵ側上り下り合分波部１２とＯＮＵ側ポートの間に接続される。ＯＴＤＲ試験光微小反射部２４は、ＯＴＤＲ信号合分波部２２及び２３の間に接続される。
【００３８】
ＯＴＤＲ対応ＰＯＮ中継器９３に入力された上り信号および下り信号は、上り下り合分波部１１及び１２で合分波され、それぞれの信号に対応した中継増幅部１３及び１４に入力される。それぞれの中継増幅部１３及び１４から出力された増幅信号は、上り下り合分波部１１及び１２によって合分波され、光ファイバ区間に送出される。
【００３９】
この時、ＯＬＴ９１側からＯＴＤＲによる線路試験を行った場合を考える。ＯＬＴ９１側から下り信号と共に、ＯＴＤＲ信号がＰＯＮ中継器９３に入力される。この時、ＰＯＮ中継器９３のＯＬＴ９１側入出力端に設置した、ＯＴＤＲ信号合分波部２２によって、下り信号は中継増幅部１４に入力するために上り下り合分波部１１に入力され、下り信号中継増幅部１４で増幅されＯＮＵ９２側に出力される。一方、ＯＴＤＲ信号はＯＴＤＲ信号合分波部２２によって、バイパスする光ファイバ区間２６に出力さる。光ファイバ区間２６を経由し、ＯＴＤＲ試験光微小反射部２４に入力される。
【００４０】
ＯＴＤＲ試験光微小反射部２４において、ＯＴＤＲ試験光の数％を反射し、屋外の伝送路中に設置されたＰＯＮ中継器９３の設置位置把握光として利用する。設置位置把握光は、収容ビルに設置されたＯＴＤＲ試験装置に入力され、ＯＴＤＲ特性よりＰＯＮ中継器９３の設置位置が把握可能となる。一方、ＯＴＤＲ試験光微小反射部２４で透過されたＯＴＤＲ信号は、ＯＴＤＲ信号合分波部２３を経由してＯＮＵ９２側に出力され、線路監視試験光としてＯＴＤＲ試験を行う。
【００４１】
本構成により、収容ビルに設置されたＯＬＴ９１からＯＮＵ９２までの光ファイバ区間２６の線路監視を、ＯＴＤＲを用いて行うことができ、なおかつ、屋外に設置されるＰＯＮ中継器９３の設置位置を把握することができるようになるため、広域光アクセスシステムの保守運用性向上が期待できる。
【００４２】
（実施形態５）
図７に、ＯＴＤＲ信号をバイパスする構造、および試験光増幅部を備えた、ＯＴＤＲ対応ＰＯＮ中継器９３の構成を示す。ＯＴＤＲ対応ＰＯＮ中継器９３は、ＯＬＴ側上り下り合分波部１１、ＯＮＵ側上り下り合分波部１２、上り信号中継増幅部１３、下り信号中継増幅部１４、２台のＯＴＤＲ信号合分波部２２及び２３、並びにＯＴＤＲ試験光増幅部２５を備える。
【００４３】
ＯＴＤＲ信号合分波部２２及び２３、並びにＯＴＤＲ試験光増幅部２５が試験光処理部として機能する。ＯＴＤＲ信号合分波部２２はＯＬＴ側上り下り合分波部１１とＯＬＴ側ポートの間に接続され、ＯＴＤＲ信号合分波部２３はＯＮＵ側上り下り合分波部１２とＯＮＵ側ポートの間に接続される。ＯＴＤＲ試験光増幅部２５は、ＯＴＤＲ信号合分波部２２及び２３の間に接続される。
【００４４】
ＯＴＤＲ対応ＰＯＮ中継器９３に入力された上り信号、および下り信号は、上り下り合分波部１１及び１２で合分波され、それぞれの信号に対応した中継増幅部１３及び１４に入力される。それぞれの中継増幅部１３及び１４から出力された増幅信号は、上り下り合分波部１１及び１２によって合分波され、光ファイバ区間に送出される。
【００４５】
この時、ＯＬＴ９１側からＯＴＤＲによる線路試験を行った場合を考える。ＯＬＴ側から下り信号と共に、ＯＴＤＲ信号がＰＯＮ中継器９３に入力される。この時、ＰＯＮ中継器９３のＯＬＴ９１側入出力端に設置した、ＯＴＤＲ信号合分波部２２によって、下り信号は下り中継増幅部１４に入力するために上り下り合分波部１１に入力され、下り信号中継増幅部１４で増幅されＯＮＵ９２側に出力される。一方、ＯＴＤＲ信号はＯＴＤＲ信号合分波部２２によって、バイパスする光ファイバ区間２６に出力さる。光ファイバ区間２６を経由し、ＯＴＤＲ試験光増幅部２５に入力され、増幅されたＯＴＤＲ信号は、ＯＴＤＲ信号合分波部２３を経由してＯＮＵ９２側に出力され、線路監視試験光としてＯＴＤＲ試験を行う。
【００４６】
広域光アクセスシステムにおいては、従来のＯＴＤＲ装置が想定している測定距離レンジよりも、伝送距離が長くなることが予想される。ＯＴＤＲ試験の測定距離レンジは、ＯＴＤＲ試験光の出力パワーと、反射光の受信感度で決定するため、ＯＴＤＲ試験光増幅部２５によってＯＴＤＲ試験光を増幅することで、従来の測定距離レンジのＯＴＤＲ試験装置を用いて広域光アクセスシステムの線路試験が可能となる。
【００４７】
本構成により、収容ビルに設置されたＯＬＴからＯＮＵまでの光ファイバ区間の線路監視を、ＯＴＤＲを用いて行うことができ、なおかつ、従来のＯＴＤＲ試験装置の測定レンジ以上の伝送距離を有するシステムの線路監視が可能となるため、広域光アクセスシステムの保守運用性向上が期待できる。
【産業上の利用可能性】
【００４８】
本発明は情報通信産業に適用することができる。
【符号の説明】
【００４９】
１１：ＯＬＴ側上り下り合分波部
１２：ＯＮＵ側上り下り合分波部
１３：上り信号中継増幅部
１４：下り信号中継増幅部
２１：ＯＴＤＲ信号反射部
２２、２３：ＯＴＤＲ信号合分波部
２４：ＯＴＤＲ試験光微小反射部
２５：ＯＴＤＲ試験光増幅部
２６：光ファイバ区間
９１：ＯＬＴ
９２：ＯＮＵ
９３、１９３：ＰＯＮ中継器
９４：ＯＴＤＲ試験装置
９５、９６：光スプリッタ
【図１】
0005978174.tif 000002
【図２】
0005978174.tif 000003
【図３】
0005978174.tif 000004
【図４】
0005978174.tif 000005
【図５】
0005978174.tif 000006
【図６】
0005978174.tif 000007
【図７】
0005978174.tif 000008